【手続補正書】
【提出日】平成22年5月18日(2010.5.18)
【手続補正１】
【補正対象書類名】特許請求の範囲
【補正対象項目名】全文
【補正方法】変更
【補正の内容】
【特許請求の範囲】
【請求項１】
１つ又は複数のタグがそれぞれに配置された物理的な物体をサーチするシステムであって、
少なくとも１つのサブステーション付近の範囲内にある少なくとも１つの前記タグと通信するように構成されている１つ又は複数のサブステーションと、
少なくとも１つのサブステーションの位置のディスクリプタと通信するように構成されている、少なくとも１つの前記サブステーションと、
少なくとも１つのベース・ステーション付近の範囲内にあるサブステーションと通信するように構成されている１つ又は複数のベース・ステーションと、
前記少なくとも１つのベース・ステーション付近の前記範囲内の前記サブステーションに、少なくとも１つの前記物体を指定するサーチ・クエリに応答して問い合わせ、前記サーチ・クエリにより指定された前記少なくとも１つの物体が、それぞれのサブステーション付近の範囲内にあるか否かを判定し、前記それぞれのサブステーションの前記場所の前記ディスクリプタの少なくとも一部に基づき前記少なくとも１つの前記物体の場所を判定するように構成されている、少なくとも１つの前記ベース・ステーションに備えられている少なくとも１つの問い合わせエンジンと、
を具備することを特徴とするシステム。
【請求項２】
前記サーチ・クエリを入力可能な、又は、サーチ結果を表示可能なように構成されている１つ又は複数のクエリ端末を更に具備することを特徴とする請求項１記載のシステム。
【請求項３】
少なくとも１つのサブステーションは、それぞれのタグからの信号強度を示す値とともに、前記サブステーション付近の範囲内のタグのタグ記述のリストを前記問い合わせエンジンに供給するように構成されていることを特徴とする請求項１に記載のシステム。
【請求項４】
前記問い合わせエンジンは、２つ以上のサブステーション間での信号強度を示す、より高い値が受信されるサブステーションを、前記２つ以上のサブステーション付近の範囲内にある少なくとも１つの前記タグに割り当てるようにさらに構成されていることを特徴とする請求項３記載のシステム。
【請求項５】
前記タグ記述は、前記タグが配置されたそれぞれの物理的な物体の記述を具備していることを特徴とする請求項３記載のシステム。
【請求項６】
少なくとも１つの前記ベース・ステーションは、前記ベース・ステーションの範囲に対応する空間を公的又は私的と指定するように構成されており、
前記問い合わせエンジンは、前記空間が公的であるか、又は私的であるかに応じたやり方で前記サーチ・クエリを処理するように構成されていることを特徴とする請求項１に記載のシステム。
【請求項７】
少なくとも１つの前記タグは、前記それぞれの物体を公的又は私的と指定するように構成されており、
前記問い合わせエンジンは、前記物体が公的であるか、又は私的であるかに応じたやり方で前記サーチ・クエリを処理するように構成されていることを特徴とする請求項６に記載のシステム。
【請求項８】
前記問い合わせエンジンは、前記サーチ物体が公的であり、かつ私的空間内にある場合に、サーチ結果の２値形式での表示を指示するように構成されていることを特徴とする請求項６に記載のシステム。
【請求項９】
前記問い合わせエンジンは、前記サーチ物体が私的であり、かつ第１ユーザに関連するとともに、前記サーチ物体が、第２ユーザに関連した私的空間内にある場合に、サーチ結果の２値形式での表示を指示するように構成されていることを特徴とする請求項６に記載のシステム。
【請求項１０】
問い合わせエンジン・プロトコルが、エネルギ、レーテンシ、又は両方について最適化されることを特徴とする請求項１に記載のシステム。
【請求項１１】
物理的な物体をサーチする方法であって、
ベース・ステーション付近の範囲内の１つ又は複数のサブステーションに、少なくとも１つの物体のためのサーチ・クエリに応答して前記ベース・ステーションの問い合わせエンジンにより問い合わせるステップと、
１つ又は複数のタグがそれぞれ１つ又は複数の物体上に配置されており、少なくとも１つの前記サブステーション付近の範囲内にある１つ又は複数のタグを、前記１つ又は複数のサブステーションにより識別するステップと、
少なくとも１つの前記サブステーション付近の範囲内にある前記１つ又は複数のタグの前記識別情報および前記サブステーションのそれぞれの場所のディスクリプタを、前記ベース・ステーションの前記問い合わせエンジンへ、前記１つまたは複数のサブステーションにより提供するステップと、
少なくとも前記識別情報に基づき、前記サーチ・クエリの前記少なくとも１つの物体が、前記サブステーション付近の範囲内にあるか否かを、前記ベース・ステーションの前記問い合わせエンジンにより判定するステップと、
前記サブステーションのそれぞれの場所の前記ディスクリプタの少なくとも一部に基づき、前記少なくとも１つの物体の場所を、前記ベース・ステーションの前記問い合わせエンジンにより判定するステップと、
を具備することを特徴とする物理的な物体をサーチする方法。
【請求項１２】
前記サーチ・クエリを入力し、サーチ結果を表示する１つ又は複数のクエリ端末を利用するステップを更に具備することを特徴とする請求項１１に記載の方法。
【請求項１３】
前記サブステーションにより識別された前記それぞれのタグからの信号強度を示すそれぞれの値を、前記ベース・ステーションの前記問い合わせエンジンに、前記１つまたは複数のサブステーションにより提供するステップを更に具備することを特徴とする請求項１１に記載の方法。
【請求項１４】
２つ以上のサブステーション間での信号強度を示す、より高い値が提供されているサブステーションに、前記２つ以上のサブステーション付近の範囲内にある少なくとも１つの前記タグを割り当てるために前記問い合わせエンジンを利用するステップを更に具備することを特徴とする請求項１３に記載の方法。
【請求項１５】
前記１つ又は複数のサブステーションにより、前記サブステーション付近の範囲内のタグのタグ記述のリストを、前記ベース・ステーションの前記問い合わせエンジンへ提供するステップをさらに具備し、
前記タグ記述は、前記タグが配置されたそれぞれの物理的な物体の記述を具備していることを特徴とする請求項１１に記載の方法。
【請求項１６】
前記ベース・ステーションの範囲に対応する空間を公的又は私的と指定するように前記少なくとも１つのベース・ステーションを構成するステップを更に具備し、
前記空間が公的であるか、又は私的であるかに応じたやり方で前記サーチ・クエリを処理するために前記問い合わせエンジンを利用するステップを更に具備することを特徴とする請求項１１に記載の方法。
【請求項１７】
前記それぞれの物体を公的又は私的と指定するように少なくとも１つのタグを構成するステップを更に備え、
前記物体が公的であるか、又は私的であるかに応じたやり方で前記サーチ・クエリを処理するために前記問い合わせエンジンを利用するステップを更に具備することを特徴とする請求項１６に記載の方法。
【請求項１８】
前記サーチ物体が公的であり、かつ私的空間内にある場合に、サーチ結果の２値形式での表示を指示するために前記問い合わせエンジンを利用するステップを更に具備することを特徴とする請求項１６に記載の方法。
【請求項１９】
サーチ物体が、私的であり、かつ第１ユーザに関連するとともに、前記サーチ物体が、第２ユーザに関連した私的空間内にある場合に、サーチ結果の、２値形式における表示を指示するために問い合わせエンジンを利用するステップを更に具備することを特徴とする請求項１６に記載の方法。
【請求項２０】
エネルギ、レーテンシ、又は両方について問い合わせエンジン・プロトコルを最適にするステップを更に具備することを特徴とする請求項１１に記載の方法。  
【請求項２１】
１つ又は複数のタグがそれぞれに配置された物理的な物体のサーチを容易にする装置であって、
前記装置付近の範囲内にある１つ又は複数のサブステーションと通信するように構成されている通信インターフェースと、
前記装置内に備えられるとともに、少なくとも１つの前記物体を指定するサーチ・クエリに応答して、前記装置付近の範囲内の１つ又は複数のサブステーションを問い合わせるために前記通信インターフェースと接続されている問い合わせエンジンと、
を具備し、
前記問い合わせエンジンは、
前記サーチ・クエリにより指定された前記少なくとも１つの物体が、前記１つ又は複数のサブステーション付近の範囲内にあるか否かを判定し、
前記１つ又は複数のサブステーションから前記問い合わせエンジンにより受信された、前記１つ又は複数のサブステーションの場所のディスクリプタの少なくとも一部に基づき前記少なくとも１つの前記物体の場所を判定することを特徴とする装置。
【請求項２２】
前記問い合わせエンジンは、２つ以上のサブステーション間での信号強度を示す、より高い値が受信されているサブステーションを、前記２つ以上のサブステーション付近の範囲内にある少なくとも１つの前記タグに割り当てるように構成されていることを特徴とする請求項２１に記載の装置。
【請求項２３】
前記問い合わせエンジンは、前記範囲に対応する空間を公的又は私的と指定するように更に構成され、
前記問い合わせエンジンは、前記空間が公的であるか、又は私的であるかに応じたやり方で前記サーチ・クエリを処理するように構成されていることを特徴とする請求項２１に記載の装置。
【請求項２４】
１つ又は複数のタグがそれぞれに配置された物理的な物体のサーチを容易にする装置であって、
１つ又は複数のベース・ステーションと通信するように構成されている通信インターフェースと、
前記通信インターフェースと接続されるとともに、前記装置付近の範囲内の少なくとも１つの前記タグと通信するように構成されているコントローラと、
を具備し、
前記コントローラは、前記装置の位置のディスクリプタを、前記１つ又は複数のベース・ステーションの少なくとも１つに備えられている少なくとも１つの問い合わせエンジンに通信することを特徴とする装置。
【請求項２５】
前記装置は、前記少なくとも１つの問い合わせエンジン付近の範囲内の、前記タグのタグ記述のリストを、前記それぞれのタグからの信号強度を示している値とともに提供するように更に構成されていることを特徴とする請求項２４に記載の装置。